(57)【要約】【課題】表示部に表示される表示画像が切り替わるまでの間にユーザにストレスを感じさせない画像形成装置を提供する。【解決手段】複数のＶＲＡＭ２４と、ＶＲＡＭ２４に展開された出力画像を表示する液晶表示部７と、液晶表示部７を制御するＣＰＵ２１と、液晶表示部７に表示させる表示画像を選択設定する操作部５と、を備え、少なくとも１つのＶＲＡＭ２４は、表示画像の表示用画像データを雛形として保存可能であり、ＣＰＵ２１は、表示要求された画像の表示用画像データがＶＲＡＭ２４に雛形として保存されているときは、まず液晶表示部７に雛形の表示用画像データに基づいて展開された出力画像を表示させるとともに、雛形を保存するＶＲＡＭ２４以外のＶＲＡＭ２４に表示要求された画像の表示用画像データを展開し、展開が完了すると、当該ＶＲＡＭ２４に展開された出力画像を表示するように液晶表示部７の画像表示を切り替える。【選択図】図１
2007206209.tif 000002
【特許請求の範囲】
【請求項１】
表示用画像データを出力画像として展開する複数のビデオメモリと、
前記ビデオメモリに展開された出力画像を表示可能な表示部と、
前記表示部に出力画像を出力する前記ビデオメモリを選択的に切り替えて前記表示部の表示を制御する制御手段と、
前記表示部に表示させる表示画像を選択設定する選択設定手段と、
を備え、
少なくとも１つの前記ビデオメモリは、前記表示部に表示された表示画像の表示用画像データを雛形として保存可能であり、
前記制御手段は、前記選択設定手段により選択された表示画像の表示用画像データが前記ビデオメモリに雛形として保存されているときは、まず前記表示部に前記雛形の表示用画像データに基づいて展開された出力画像を表示させるとともに、前記雛形の表示用画像データを保存する前記ビデオメモリ以外のビデオメモリに前記選択設定手段により選択された表示画像の表示用画像データを展開し、当該ビデオメモリに前記表示用画像データに基づく出力画像の展開が完了されると当該展開された出力画像を表示させるように前記表示部の画像表示を切り替えることを特徴とする画像形成装置。
【請求項２】
前記ビデオメモリを少なくとも３つ以上有することを特徴とする請求項１に記載の画像形成装置。
【請求項３】
表示部と、
表示用画像データを前記表示部に出力される出力画像として展開する第１のビデオメモリ、第２のビデオメモリ及び第３のビデオメモリと、
前記表示部に出力画像を出力するビデオメモリを選択的に切り替えて前記表示部の表示を制御する制御手段と、
前記表示部に表示させる表示画像を選択設定する選択設定手段と、
を備え、
前記制御手段は、前記表示部が前記第１のビデオメモリに展開されている出力画像を表示中に、前記選択設定手段により現在前記表示部に表示されている表示画像とは異なる他の表示画像が選択されたときは、前記第１のビデオメモリに展開されている出力画像の雛型の表示用画像データを前記第２のビデオメモリに保存し、前記選択設定手段により選択設定された表示画像の表示用画像データを前記第３のビデオメモリに展開し、前記表示部に出力画像を出力するビデオメモリを前記第３のビデオメモリに切り替えることを特徴とする画像形成装置。
【請求項４】
前記制御手段は、前記表示部に表示された表示画像が前記雛形の表示用画像データとして前記ビデオメモリに保存すべき保存必要画像か否かを判断し、
前記ビデオメモリは、前記制御手段により前記保存必要画像と判断された画像の表示用画像データを雛形として保存することを特徴とする請求項１から請求項３のいずれか一項に記載の画像形成装置。
【請求項５】
前記制御手段は、表示部品点数の多い画像又は使用頻度の高い画像を前記保存必要画像と判断することを特徴とする請求項４に記載の画像形成装置。
【請求項６】
前記ビデオメモリは、前記各保存必要画像について電源投入後に初めて保存された表示用画像データを前記雛形の表示用画像データとして保存するものであることを特徴とする請求項４又は請求項５に記載の画像形成装置。
【請求項７】
画像データに基づき画像を形成する画像形成手段を有し、
前記表示部は、前記画像形成手段による画像形成条件を設定するための画面を前記出力画像として表示することを特徴とする請求項１から請求項６のいずれか一項に記載の画像形成装置。
【発明の詳細な説明】
【技術分野】
【０００１】
本発明は、画像形成装置に係り、特に、表示部に表示させる出力画像を展開する複数のビデオメモリを備える画像形成装置に関する。
【背景技術】
【０００２】
従来、操作部等に表示画像を備える複写機、プリンタ等の画像形成装置においては、表示画像に各種の設定事項等を表示させるため、表示画像の表示用画像データに基づく出力画像を展開するビデオメモリ（以下「ＶＲＡＭ」と称する。）を備えるものが知られている。
【０００３】
しかし、記憶手段から表示画像の画像データを読み出してＶＲＡＭ上に出力画像を展開するには０．５秒程度の時間がかかる。そして、ユーザが画像表示を求めてボタン操作等を行ってから所望の画像が表示されるまでに時間を要すると、ユーザが次の動作に移行することができず、ストレスを感じるという不都合が生じる。また、ボタン操作が正しく行われたか否かを確認できず、ユーザが不安を感じるとの不都合もある。
【０００４】
この点、自動車用ナビゲーションの地図描画方法において、地図データを記憶するためのＶＲＡＭを２つ備え、所定領域の地図データを一方のＶＲＡＭに記憶させて、ディスプレイ画面に地図をスクロール表示させるとともに、スクロール方向に応じた新たな領域の地図データを他方のＶＲＡＭに記憶させ、ディスプレイ画面の表示に対応するＶＲＡＭをスクロールに応じて一方のＶＲＡＭから他方のＶＲＡＭに切り替える構成が提案されている。（例えば、特許文献１参照）。
【０００５】
これによれば、自動車用ナビゲーションの地図画面のように表示される画像領域が徐々に変化する場合には、ある地図領域の画像を表示させている間に表示されている領域の次の領域の画像データを他のＶＲＡＭに記憶させ、出力画像を展開することによって、ユーザは待ち時間なく順次新たな画像を見ることが可能となる。
【特許文献１】特許第２６１９０５８号公報
【発明の開示】
【発明が解決しようとする課題】
【０００６】
しかしながら、複写機やプリンタ等、画像形成装置の表示部の場合には、画像領域が徐々に変化する自動車用ナビゲーションの地図画面とは異なり、ユーザがボタン操作等を行うことによって速やかに表示部の画面全体が切り替わることが求められている。このため、ボタン操作等によって表示部に表示させる画像が決定してから、できるだけ早くＶＲＡＭ上に所望の画像の表示用画像データに基づく出力画像を展開することが必要であるが、表示画像の画像データを読み出してＶＲＡＭに記憶させ、出力画像を展開するまでには前述の通り時間を要し、ユーザはボタン操作をしてから次の画像に切り替わるまでの間、ストレスを感じるという問題があった。
【０００７】
また、次に表示させる画像の表示用画像データを生成しているＶＲＡＭの画像生成過程を表示部に表示させることにより、ボタン操作が正しく行われ、次に表示させる画像を展開中であることを明らかにすることも考えられる。しかし、このように画像生成過程を表示部上に表示させると、表示部に表示される画像がちらついて見え難いとの問題がある。
【０００８】
そこで、本発明は以上のような課題を解決するためになされたものであり、表示画像の画像が切り替わるまでの間にユーザにストレスを感じさせない画像形成装置を提供することを目的とするものである。
【課題を解決するための手段】
【０００９】
上記課題を解決するため、請求項１に記載の画像形成装置は、表示用画像データを出力画像として展開する複数のビデオメモリと、
前記ビデオメモリに展開された出力画像を表示可能な表示部と、
前記表示部に出力画像を出力する前記ビデオメモリを選択的に切り替えて前記表示部の表示を制御する制御手段と、
前記表示部に表示させる表示画像を選択設定する選択設定手段と、
を備え、
少なくとも１つの前記ビデオメモリは、前記表示部に表示された表示画像の表示用画像データを雛形として保存可能であり、
前記制御手段は、前記選択設定手段により選択された表示画像の表示用画像データが前記ビデオメモリに雛形として保存されているときは、まず前記表示部に前記雛形の表示用画像データに基づいて展開された出力画像を表示させるとともに、前記雛形の表示用画像データを保存する前記ビデオメモリ以外のビデオメモリに前記選択設定手段により選択された表示画像の表示用画像データを展開し、当該ビデオメモリに前記表示用画像データに基づく出力画像の展開が完了されると当該展開された出力画像を表示させるように前記表示部の画像表示を切り替えることを特徴としている。
【００１０】
また、請求項２に記載の発明は、請求項１に記載の画像形成装置において、前記ビデオメモリを少なくとも３つ以上有することを特徴としている。
【００１１】
また、請求項３に記載の発明は、表示部と、
表示用画像データを前記表示部に出力される出力画像として展開する第１のビデオメモリ、第２のビデオメモリ及び第３のビデオメモリと、
前記表示部に出力画像を出力するビデオメモリを選択的に切り替えて前記表示部の表示を制御する制御手段と、
前記表示部に表示させる表示画像を選択設定する選択設定手段と、
を備え、
前記制御手段は、前記表示部が前記第１のビデオメモリに展開されている出力画像を表示中に、前記選択設定手段により現在前記表示部に表示されている表示画像とは異なる他の表示画像が選択されたときは、前記第１のビデオメモリに展開されている出力画像の雛型の表示用画像データを前記第２のビデオメモリに保存し、前記選択設定手段により選択設定された表示画像の表示用画像データを前記第３のビデオメモリに展開し、前記表示部に出力画像を出力するビデオメモリを前記第３のビデオメモリに切り替えることを特徴としている。
【００１２】
また、請求項４に記載の発明は、請求項１から請求項３のいずれか一項に記載の画像形成装置において、前記制御手段は、前記表示部に表示された表示画像が前記雛形の表示用画像データとして前記ビデオメモリに保存すべき保存必要画像か否かを判断し、
前記ビデオメモリは、前記制御手段により前記保存必要画像と判断された画像の表示用画像データを雛形として保存することを特徴としている。
【００１３】
また、請求項５に記載の発明は、請求項４に記載の画像形成装置において、前記制御手段は、表示部品点数の多い画像又は使用頻度の高い画像を前記保存必要画像と判断することを特徴としている。
【００１４】
また、請求項６に記載の発明は、請求項４又は請求項５に記載の画像形成装置において、前記ビデオメモリは、前記各保存必要画像について電源投入後に初めて保存された表示用画像データを前記雛形の表示用画像データとして保存するものであることを特徴としている。
【００１５】
また、請求項７に記載の発明は、請求項１から請求項６のいずれか一項に記載の画像形成装置において、画像データに基づき画像を形成する画像形成手段を有し、
前記表示部は、前記画像形成手段による画像形成条件を設定するための画面を前記出力画像として表示することを特徴としている。
【発明の効果】
【００１６】
請求項１に記載された発明によれば、表示用画像データを雛形として保存可能なので、ユーザが所望の画像を選択すると、まずこの雛形としての表示画像を表示部に表示させることができ、表示部の表示がすぐに所望の画像に切り替わる。これにより、ユーザは表示部を見て次の動作を予測することができ、表示部の画像が実際の画像に切り替わった際に速やかに次の動作を行うことができる。このため、ユーザにストレスを感じさせることなく前記表示部の表示を切り替えることができるとの効果を奏する。
【００１７】
請求項２に記載された発明のように、ビデオメモリを少なくとも３つ以上有することにより、ユーザにストレスを感じさせることなく表示部の画像表示を切り替えることができるとの効果を奏する。
【００１８】
請求項３に記載された発明によれば、表示部が第１のビデオメモリに展開されている出力画像を表示中に表示画像が選択されたら、表示中の出力画像の雛型の表示用画像データを第２のビデオメモリに保存し、選択設定手段により選択設定された表示画像の表示用画像データを第３のビデオメモリに展開して表示部に出力画像を出力するビデオメモリを第３のビデオメモリに切り替える。これにより、現在表示中の出力画像を、他の出力画像に切り替えた後に、再度表示させたい場合に、第２のビデオメモリに保存されている雛形を表示させることができ、ユーザにストレスを感じさせることなく表示部の画像表示を切り替えることができるとの効果を奏する。
【００１９】
請求項４に記載された発明によれば、表示部に表示された画像が雛形の表示用画像データとしてビデオメモリに保存すべき保存必要画像と判断された画像の表示用画像データを雛形として保存するので、表示用画像データを保存するビデオメモリの数を必要最小限に留めながらユーザにストレスを感じさせることなく前記表示部の表示を切り替えることができることができるとの効果を奏する。
【００２０】
請求項５に記載された発明によれば、ＶＲＡＭ上での出力画像の展開に時間を要する表示部品点数の多い画像やユーザの使用頻度の高い画像を保存必要画像としてビデオメモリに保存するので、ビデオメモリを効率よく用いて表示用画像データを保存するビデオメモリの数を必要最小限に留めながら、ユーザにストレスを感じさせることなく前記表示部の画像表示を切り替えることができるとの効果を奏する。
【００２１】
請求項６に記載された発明によれば、ビデオメモリは、一旦保存必要画像として保存した表示用画像データを雛形の表示用画像データとして保持するので、同じ画像について保存動作を繰り返す必要がない。そして、ビデオメモリを効率よく用いて表示用画像データを保存するビデオメモリの数を必要最小限に留めながら、ユーザにストレスを感じさせることなく前記表示部の画像表示を切り替えることができるとの効果を奏する。
【００２２】
請求項７に記載された発明によれば、画像形成手段による画像形成条件を設定するための画面のように、表示画像の切り替えの頻度が高い場合であっても、ユーザにストレスを感じさせることなく表示部の表示を切り替えることができ、画像形成の生産効率も向上させることができるとの効果を奏する。
【発明を実施するための最良の形態】
【００２３】
以下、図１から図１０を参照しつつ、本発明の一実施形態について説明する。ただし、発明の範囲は、図示例に限定されない。
【００２４】
画像形成装置１は、例えば電子写真方式の複写機である。なお、本発明を適用可能な画像形成装置１は複写機に限定されず、例えば、プリンタ、ＦＡＸや、１台の装置が複写機、プリンタ等の各種機能を備える複合機等であってもよい。本実施の形態においては、以下、画像形成装置１として電子写真方式の複写機を適用した場合を例として説明する。
【００２５】
図１に示すように、画像形成装置１は、装置本体２及び装置本体２にオプション接続される給紙ユニット３、後処理ユニット４等を備えて構成されている。
【００２６】
措置本体２の上面には、操作部５及び自動原稿給送装置であるＡＤＦ（Auto Document Feeder）部６が設けられている。
【００２７】
操作部５は、表示部としての液晶表示部（ＬＣＤ：Liquid Crystal Display）７を備えており、液晶表示部７の画像上には、透明電極を格子状に配置した感圧式（抵抗膜圧式）のタッチパネル（図示せず）が構成されている。このタッチパネルは、手指やタッチペン等で押下された力点のＸＹ座標を電圧値で検出し、検出された位置信号を操作信号として後述する本体制御部２０（図２参照）に出力するようになっている。また、液晶表示部７は、本体制御部２０から入力される表示信号の指示に従って、例えば画像形成条件等の設定条件の設定画面等の各種操作画面や画像の状態表示、各機能の動作状況、各種処理結果等を画面上に表示可能となっている。なお、表示部は、本実施形態で例示した液晶表示部（ＬＣＤ）７の他、ＣＲＴ（Cathode Ray Tube）ディスプレイやＥＬ（Electro Luminescence）ディスプレイ等であってもよい。また、操作部５及び液晶表示部７の形状等はここに例示したものに限定されない。
【００２８】
操作部５は、前記液晶表示部７の他、図示しない数字ボタンや各種設定、動作モード等を切替える機能ボタン、動作のスタートを指示するためのスタートボタン等の各種操作ボタン８を備えている。操作部５は、これらの操作ボタン８を操作することにより入力された操作信号を本体制御部２０から後述する本体制御部２０（図２参照）に出力するように構成されている。
【００２９】
本実施形態において操作部５のタッチパネル及び操作ボタンは、前記表示部に表示させる表示画像を選択設定する選択設定手段を構成している。
【００３０】
次にＡＤＦ部６は、原稿台９に載置された原稿を１枚ずつ所定位置に自動搬送するようになっている。
【００３１】
また、装置本体２の内部であってＡＤＦ部６の下方に対応する位置には、ＡＤＦ部６により搬送された原稿の読み取り処理を行うスキャナ１０（図２参照）が設けられている。スキャナ１０は、プラテンガラスと、ＣＣＤ（Charge Coupled Device）等の撮像素子と、光源と（いずれも図示せず）等を備えて構成されている。スキャナ１０は、プラテンガラス上に載置された原稿に対して光源から光を走査し、その反射光をＣＣＤにより結像して光電変換することにより原稿の画像を読み取り、画像データを取得する。スキャナ１０は、取得した画像データを後述する本体制御部２０（図２参照）に出力するようになっている。なお、スキャナ１０の構成はここに例示したものに限定されず、原稿の画像を読み取り、画像データを取得することのできるものであれば他の構成でも適用できる。
本実施形態においては、スキャナ１０とＡＤＦ部６とによって画像入力部１１（図２参照）が構成されている。
【００３２】
また、装置本体２の内部には、プリント処理を行う画像形成手段としての画像形成部１２（図２参照）及び記録媒体を収納する給紙トレイを備える給紙部（図示せず）が設けられている。
【００３３】
画像形成部１２は、電子写真方式の画像形成を行う画像形成手段であり、像担持体である感光体ドラム、感光ドラムの帯電を行う帯電部、画像データに基づいて感光ドラム表面に露光走査するＬＤ（Laser Diode）、感光ドラムにトナーを付着させる現像部、感光ドラム上に形成されたトナー像を記録用紙に転写する転写部、記録用紙上に形成されたトナー像を定着させる定着部等（いずれも図示せず）を備えて構成されている。
【００３４】
なお、本実施形態では、画像形成部１２が電子写真方式の画像形成を行うこととしたが、画像形成部１２の画像形成方式はこれに限定されるものではなく、インクジェット方式、熱転写方式、ドットインパクト方式等の他の画像形成方式としてもよい。
【００３５】
給紙部及び給紙ユニット３には、それぞれ１又は複数の給紙トレイが備えられている。なお、給紙部及び給紙ユニット３に備えられる給紙トレイの数は特に限定しない。給紙部及び給紙ユニット３に備えられる各給紙トレイには、普通紙、裏紙、再生紙、上質紙等の用紙種及びサイズが異なる記録媒体を収容することが可能であり、前記画像形成部１２には、画像を形成する記録媒体のサイズや種類に応じて装置本体２の内部に設けられた給紙部及び前記給紙ユニット３から適宜記録媒体が供給されるようになっている。
【００３６】
後処理ユニット４は、画像形成された記録媒体にソート処理、パンチ（穴開け）処理、ステープル処理、折り処理（中折り、三つ折り、四つ折り、観音折り、Ｚ折り）等の各種後処理を施す各種の後処理部を備えて構成されており、画像形成後の記録媒体に所望の後処理を施して小冊子の作成や製本を行うことが可能となっている。
【００３７】
また、後処理ユニット４には、画像形成後、所定の後処理を施した記録媒体を排出する排紙トレイ１４が設けられている。
【００３８】
また、画像形成装置１の内部には、所定の搬送経路に沿って給紙ユニット３及び給紙トレイから画像形成部１２、画像形成部１２から後処理ユニット４の各種後処理部、後処理部から排紙トレイ１４に、記録媒体を搬送する複数の搬送ローラ（図示せず）が設けられている。なお、搬送経路はここに例示したものに限定されず、例えば、画像形成後、後処理をせずに排紙トレイ１４に排出されるようにしてもよいし、画像形成後又は後処理後に画像形成装置１の内部の中間スタッカ等、排紙トレイ以外の排出先に排出されるようにしてもよい。
【００３９】
次に、図２を参照しつつ、本実施形態における画像形成装置１の制御構成について説明する。
【００４０】
画像形成装置１の本体制御部２０は、制御手段としてのＣＰＵ２１、記憶部２２、ＲＡＭ（Random Access Memory）２３、ＶＲＡＭ(video Random Access Memory：ビデオメモリ）２４等を備えて構成されている。
【００４１】
記憶部２２は、例えば半導体等の不揮発性メモリ等により構成されており、システムプログラムや該システムプログラム上で実行可能な各種の処理プログラム等を記憶するものである。プログラムは、コンピュータが読み取り可能なプログラムコードの形態で記憶部２２に格納されている。また、ＲＡＭ２３は、入力、若しくは出力データ及びパラメータ等、ＣＰＵ２１がプログラムを実行する際に各種データを一時的に格納するワークメモリのほか、画像の回転処理などを施すために画像データを少なくとも１ページ分格納するページメモリとして機能する。ＣＰＵ２１は、記憶部２２に記憶されているシステムプログラムや各種処理プログラムを読み出してＲＡＭ２３の作業領域に展開し、展開したプログラムに従って各種処理を実行するように画像形成装置１の各部の動作を集中制御するようになっている。
【００４２】
また、ＶＲＡＭ２４は、操作部５の液晶表示部７への表示内容を一時的に保存するメモリである。このＶＲＡＭ２４で展開された出力画像は、そのまま液晶表示部７に表示される表示画像となり、ＣＰＵ２１がＶＲＡＭ２４のアクティブ、非アクティブを切り替えることにより、アクティブとなっているＶＲＡＭ２４に展開された出力画像に対応する画像が液晶表示部７に表示されるようになっている。図３から図６に示すように、本実施形態においては、本体制御部２０は、第１のビデオメモリ、第２のビデオメモリ及び第３のビデオメモリとして、３つのＶＲＡＭ２４ａ，２４ｂ，２４ｃを備えている。なお、本体制御部２０に備えられるＶＲＡＭ２４は複数であればよく、その数は特に限定されない。
【００４３】
本実施形態において、ＣＰＵ２１は、表示部品点数の多い画像又は使用頻度の高い画像をＶＲＡＭ２４ａ，２４ｂ，２４ｃのいずれかに保存すべき保存必要画像と判断するようになっている。そして、例えば本体制御部２０の記憶部２２等には、液晶表示部７に表示された画像が雛形の表示用画像データとしてＶＲＡＭ２４ａ，２４ｂ，２４ｃのいずれかに保存すべき保存必要画像か否かをＣＰＵ２１が判断するための閾値データが格納されている。
【００４４】
ここで、表示部品点数の多い画像とは、例えばテキスト文字列の存在する個所を１つの部品とした場合に部品点数が４０点以上の画像である。例えば図７に示すようなコピー基本画面として表示される画像は５０点ほどの部品で構成されており、表示部品点数の多い画像とされる。また、例えば図８に示すような機械状態を表示する機械状態表示画面として表示される画像のように装置構成図を表示する画像等も構成部品が多くＶＲＡＭ２４の上で出力画像を展開するのに時間を要する画像であるため表示部品点数の多い画像とされる。他方、表示部品点数の少ない画像とは、部品点数が１０点以下の画像であり、例えば図９に示す言語切り替え画面として表示される画像のように１０点程度の部品で構成されている画像は表示部品点数の少ない画像とされる。
【００４５】
また、使用頻度の高い画像とは、例えば操作部５を操作する５人に１人以上が液晶表示部７に表示させる画像である。例えばコピー基本画面等の画像は５人に１人以上が液晶表示部７に表示させる画像であり、使用頻度の高い画像に該当する。なお、例えば、応用機能等に関する画像については操作部５を操作する２０人に１人程度が液晶表示部７に表示させる画像である場合に使用頻度の高い画像と判断する等、表示画像の種類によって使用頻度の高い画像と判断する閾値を変えてもよい。
【００４６】
例えばユーザが操作部５からコピー基本画面（図７参照）の画像を表示するように入力を行った場合、ＣＰＵ２１は、記憶部２２等からコピー基本画面として表示させる画像の画像データを読み出し、ＶＲＡＭ２４ａ，２４ｂ，２４ｃのいずれかの上で表示用画像データに基づく出力画像を展開する。例えば、図３に示すようにＶＲＡＭ２４ａの上でコピー基本画面の画像の表示用画像データに基づき出力画像が展開された場合には、ＣＰＵ２１がＶＲＡＭ２４ａをアクティブとすることによりコピー基本画面の画像が液晶表示部７に表示される。そして、次にユーザが次画面として機械状態表示画面（図８参照）の画像を液晶表示部７に表示するよう操作部５から入力を行った場合には、ＣＰＵ２１は、記憶部２２に格納されている閾値を読み出して現在液晶表示部７に表示されているコピー基本画面の表示画像と比較対照することにより当該表示画像が保存必要画像か否かを判断する。そして、当該表示画像が保存必要画像であると判断した場合には、ＣＰＵ２１は当該表示画像の表示用画像データを前記ＶＲＡＭ２４ａ，２４ｂ，２４ｃのいずれかにコピーして雛形として保存するとともに、次画面である機械状態表示画面の画像の画像データを記憶部２２から読み出して、雛形を保存したＶＲＡＭ２４以外のＶＲＡＭ２４の上で当該表示画像の表示用画像データに基づく出力画像を展開する。例えば、図４に示すように、コピー基本画面の表示画像の雛形を非アクティブなＶＲＡＭ２４ｃにコピーした場合には、図５に示すように、他のＶＲＡＭ２４ｂの上で機械状態表示画面の出力画像を展開する。そして、ＶＲＡＭ２４ｂの上で機械状態表示画面の出力画像が展開された場合には、図６に示すようにＣＰＵ２１がＶＲＡＭ２４ｂをアクティブに切り替えることにより機械状態表示画面の表示画像が液晶表示部７に表示される。
【００４７】
また、本体制御部２０にはスキャナ１０及びＡＤＦ部６で構成される画像入力部１１から画像データが送られるようになっており、本体制御部２０は、送られた画像データを画像処理部２５に送り、画像処理部２５において圧縮処理等の所定の処理を行った後、記憶部２２等に格納するようになっている。そして、本体制御部２０は、画像形成部１２の画像形成制御部１３を制御することにより、画像入力部１１から入力され記憶部２２に格納されている画像データに基づく画像形成を行う。さらに、本体制御部２０は、画像後の記録媒体を後処理ユニット４に送り、後処理ユニット４を動作させることにより、所定の後処理を施すようになっている。
【００４８】
次に、本実施の形態における画像形成装置の動作について説明する。
【００４９】
画像形成条件等が操作部５から入力されると、入力された情報は本体制御部２０に送られる。また、画像入力部１１から入力された画像データは本体制御部２０を介して画像処理部２５に送られ、圧縮処理等の所定の処理が行われた後、記憶部２２等に記憶される。画像形成を行う際には、本体制御部２０は、記憶部２２から画像データを読み出すとともに、画像形成部１２の画像形成制御部１３を制御して、画像入力部１１から入力された画像データに基づく画像形成を行わせる。さらに、本体制御部２０は、画像形成後の記録媒体を後処理ユニット４に送り、後処理ユニット４を動作させる。これにより、記録媒体に所定の後処理が施され、その後記録媒体は排出トレイ１４に排出される。
【００５０】
次に、図１０を参照しつつ、本体制御部２０のＣＰＵ２１が操作部５の液晶表示部７にユーザ所望の表示画像を展開する場合の処理について説明する。なお、以下においては、ＶＲＡＭ２４ａ，２４ｂを通常の表示画像切り替え用のＶＲＡＭ２４として使用し、ＶＲＡＭ２４ｃを保存必要画像の雛型を保存するためのＶＲＡＭ２４ｃとして使用する場合を例として説明する。
【００５１】
本実施形態においては、ＣＰＵ２１は、操作部５から液晶表示部７の表示画像変更要求が入力されたか否かを常に判断する（ステップＳ１）。表示画像変更要求が入力されていない場合（ステップＳ１；ＮＯ）にはステップ１に戻って表示画像変更要求の有無を判断する処理が繰り返される。表示画像変更要求が入力された場合（ステップＳ１；ＹＥＳ）には、ＣＰＵ２１は、さらに表示が要求されている画像が保存必要画像であるかを判断する（ステップＳ２）。具体的には、前述したように、例えば記憶部２２に記憶されている閾値データを読み出して、表示が要求されている画像が表示部品点数の多い画像であるか、使用頻度の高い画像であるかを判断する。この際、ＣＰＵ２１は、表示部品点数の多い画像であり、かつ使用頻度の高い画像のみを保存必要画像と判断してもよいし、いずれか一方でも閾値を満たしていれば保存必要画像であると判断してもよい。また、例えば使用頻度の高い画像であっても、比較的出力画像の展開が容易な表示部品点数の少ない画像であれば保存必要画像と判断しないようにしてもよい。
【００５２】
表示が要求されている画像が保存必要画像であると判断した場合（ステップＳ２；ＹＥＳ）には、ＣＰＵ２１は、当該画像がＶＲＡＭ２４ｃに保存されている画像であるかを判断する（ステップＳ３）。そして、当該画像がＶＲＡＭ２４ｃに保存されている場合（ステップＳ３；ＹＥＳ）には、ＶＲＡＭ２４ｃをアクティブに切り替えてＶＲＡＭ２４ｃに保存されている出力画像を液晶表示部７に表示させる（ステップＳ４）。他方、画像がＶＲＡＭ２４ｃに保存されていない場合（ステップＳ３；ＮＯ）には、非アクティブとなっているいずれかのＶＲＡＭ２４（例えばＶＲＡＭ２４ａ）に表示が要求されている画像の表示用画像データに基づいて出力画像を展開する（ステップＳ５）。当該画像の出力画像が展開されると、ＣＰＵ２１は当該画像の出力画像を展開したＶＲＡＭ２４ａをアクティブに切り替えてＶＲＡＭ２４ａに展開された出力画像に対応する画像を液晶表示部７に表示させる（ステップＳ６）。
【００５３】
その後、ＣＰＵ２１は、ＶＲＡＭ２４ａに展開された出力画像の表示用画像データを非アクティブとなっている保存用のＶＲＡＭ２４ｃにコピーし、当該表示用画像データを雛型として保存する（ステップＳ７）。
【００５４】
他方、表示が要求されている画像が保存必要画像ではないと判断した場合（ステップＳ２；ＮＯ）には、ＣＰＵ２１は、ＶＲＡＭ２４ａがアクティブであるか否かを判断する（ステップＳ８）。ＶＲＡＭ２４ａがアクティブである場合（ステップＳ８；ＹＥＳ）には、非アクティブとなっているＶＲＡＭ２４ｂに表示が要求されている画像の表示用画像データに基づいて出力画像を展開する（ステップＳ９）。そして当該画像の出力画像が展開されると、ＣＰＵ２１は当該画像の出力画像を展開したＶＲＡＭ２４ｂをアクティブに切り替えてＶＲＡＭ２４ｂに展開された出力画像に対応する画像を液晶表示部７に表示させる（ステップＳ１０）。ＶＲＡＭ２４ａがアクティブでない場合（ステップＳ８；ＮＯ）には、非アクティブとなっているＶＲＡＭ２４ａに表示が要求されている画像の表示用画像データに基づいて出力画像を展開する（ステップＳ１１）。そして当該画像の出力画像が展開されると、ＣＰＵ２１は当該画像の出力画像を展開したＶＲＡＭ２４ａをアクティブに切り替えてＶＲＡＭ２４ａに展開された出力画像に対応する画像を液晶表示部７に表示させる（ステップＳ１２）。
【００５５】
なお、ここでは、ＶＲＡＭ２４ａ，２４ｂを通常の表示画像切り替え用のＶＲＡＭ２４として使用し、ＶＲＡＭ２４ｃを保存必要画像の雛型を保存するためのＶＲＡＭ２４ｃとして使用する場合を例として説明したが、ＶＲＡＭ２４の使用例はこれに限定されない。通常の表示画像切り替え用のＶＲＡＭ２４と保存必要画像の雛型を保存するためのＶＲＡＭ２４とを区別せず、その都度、ＣＰＵ２１が非アクティブなＶＲＡＭ２４を判断して要求画像の出力画像の展開や保存必要画像の保存等を行うようにしてもよい。
【００５６】
以上のように、本実施形態によれば、複数のＶＲＡＭ２４のうち、ＶＲＡＭ２４ｃに表示用画像データが雛形として保存されており、ユーザが所望の画像を選択すると、まずこの雛形としての表示用画像データに基づく出力画像を液晶表示部７に表示させるので、液晶表示部７の画像表示がすぐに所望の画像に切り替わり、ユーザにストレスを感じさせることなく液晶表示部７の画像表示を切り替えることができる。
【００５７】
また、出力画像の展開に時間を要する表示部品点数の多い画像やユーザの使用頻度の高い画像を保存すべき保存必要画像とし、この保存必要画像とされた画像の表示用画像データのみを雛形として保存するので、表示用画像データを保存するＶＲＡＭ２４の数を必要最小限に留めることができる。
【００５８】
なお、本実施の形態では、保存必要画像が表示要求画像として要求されると、当該画像の表示用画像データに基づいて出力画像をＶＲＡＭ２４の上に展開した後、当該最新の画像の表示用画像データを保存用のＶＲＡＭ２４ｃに保存するようにしたが、保存必要画像の表示用画像データは、画像形成装置１の電源投入後に一旦雛型としてＶＲＡＭ２４ｃに保存されると、その後は更新せずに、当該画像が表示要求される度に繰返し同じ画像を表示するようにしてもよい。
【００５９】
また、本実施の形態においては、ＣＰＵ２１が保存必要画像と判断した画像についてのみＶＲＡＭ２４に雛型として保存するようにしたが、要求される表示画像の数に比べてＶＲＡＭ２４が十分な数設けられている場合には、表示要求された画像が保存必要画像か否化を判断せずに全ての表示画像について表示用画像データを雛型としてＶＲＡＭに保存するようにしてもよい。
【００６０】
また、本実施の形態では、ＣＰＵ２１が表示要求された画像と閾値データとを比較対照することにより保存必要画像か否かを判断するものとしたが、保存必要画像か否かを判断する手法はここに例示したものに限定されない。例えば、保存必要画像とされる画像の種類を予め設定しておき、これに該当する場合には保存必要画像と判断するようにしてもよい。
【００６１】
その他、本発明が上記実施の形態に限らず適宜変更可能であるのは勿論である。
【図面の簡単な説明】
【００６２】
【図１】本発明に係る画像形成装置の一実施形態の外観構成を示す模式図である。
【図２】図１の画像形成装置の機能的構成を示すブロック図である。
【図３】本実施形態における液晶表示部とＶＲＡＭとの関係を表す図である。
【図４】本実施形態における液晶表示部とＶＲＡＭとの関係を表す図である。
【図５】本実施形態における液晶表示部とＶＲＡＭとの関係を表す図である。
【図６】本実施形態における液晶表示部とＶＲＡＭとの関係を表す図である。
【図７】保存必要画像の例としてのコピー基本画面を例示した図である。
【図８】保存必要画像の例としての機械状態表示画面を例示した図である。
【図９】保存必要画像でない例としての言語切り替え画面を例示した図である。
【図１０】本実施形態に係る画像形成装置により実行される画像表示切り替え処理を示すフローチャートである。
【符号の説明】
【００６３】
１  画像形成装置
２  装置本体
３  給紙ユニット
４  後処理装置
７  液晶表示部
２１  ＣＰＵ
２２  記憶部
２４  ＶＲＡＭ
【図１】
2007206209.tif 000003
【図２】
2007206209.tif 000004
【図３】
2007206209.tif 000005
【図４】
2007206209.tif 000006
【図５】
2007206209.tif 000007
【図６】
2007206209.tif 000008
【図７】
2007206209.tif 000009
【図８】
2007206209.tif 000010
【図９】
2007206209.tif 000011
【図１０】
2007206209.tif 000012